【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
記録媒体に画像を形成するための電子写真画像形成装置において、
電子写真感光体からトナー像を転写させるための転写部材と、
前記電子写真感光体を有するプロセスカートリッジを支持した状態で、前記電子写真画像形成装置の装置本体の外側と内側との間を移動可能な第一支持部材であって、前記装置本体の外側において前記プロセスカートリッジを着脱可能で、前記装置本体の内側において、前記電子写真感光体が前記転写部材に接触する接触位置と、前記電子写真感光体が前記転写部材から離間する離間位置と、を取り得る第一支持部材と、
前記電子写真感光体の回転軸線方向に見て前記電子写真感光体と前記転写部材との接線と平行な接線方向において移動可能な、前記第一支持部材を支持する第二支持部材であって、前記第一支持部材を前記接触位置に位置させるための第一の位置と、前記第一支持部材を前記離間位置に位置させるための第二の位置と、を取り得る第二支持部材と、
被係合部と、
前記第一支持部材に設けられ、前記第一支持部材が前記接触位置に位置する状態で前記転写部材に対して前記接線方向に前記第一支持部材が移動するのを規制するために、前記被係合部と係合する係合部と、
を有し、
前記第二支持部材が前記第一の位置から前記第二の位置へ移動する際に、前記係合部と前記被係合部とが係合した状態で前記接線方向及び前記回転軸線方向の両方に対して直交する直交方向へ前記第一支持部材が移動して前記電子写真感光体が前記転写部材から離間した後に、前記係合部と前記被係合部との係合が解除されることを特徴とする電子写真画像形成装置。
【請求項２】
前記第二の位置は、前記第二支持部材が前記第一の位置から前記接線方向及び前記直交方向へ移動した位置であることを特徴とする請求項１に記載の電子写真画像形成装置。
【請求項３】
前記係合部は凸部であり、前記被係合部は、前記凸部と係合可能な凹部であることを特徴とする請求項１又は２に記載の電子写真画像形成装置。
【請求項４】
前記係合部は凹部であり、前記被係合部は、前記凹部と係合可能な凸部であることを特徴とする請求項１又は２に記載の電子写真画像形成装置。
【請求項５】
更に、電子写真画像形成装置は、前記装置本体に設けられた、前記第一支持部材を前記装置本体に対して出し入れするための開口と、前記開口を閉じる閉じ位置と、前記開口を開放する開放位置と、を取り得る本体ドアと、を有し、前記第二支持部材は前記本体ドアと連動し、前記本体ドアが前記閉じ位置に位置する際には前記第二支持部材が前記第一の位置に位置し、前記本体ドアが前記開放位置に位置する際には前記第二支持部材が前記第二の位置に位置することを特徴とする請求項１乃至請求項４のいずれか１項に記載の電子写真画像形成装置。
【請求項６】
前記第二支持部材が前記第二の位置に位置する状態では、前記第一支持部材が、前記プロセスカートリッジを着脱可能にするために前記開口から前記装置本体の外側へ突出している着脱位置と、前記装置本体の内側であって前記本体ドアを前記開放位置から前記閉じ位置へ移動させるのに連動して前記接触位置へ移動可能な内側位置と、を取り得ることを特徴とする請求項５に記載の電子写真画像形成装置。
【請求項７】
前記第一支持部材は、異なる色の現像剤を収容した複数の前記プロセスカートリッジを支持可能であることを特徴とする請求項１乃至請求項６のいずれか１項に記載の電子写真画像形成装置。
【手続補正２】
【補正対象書類名】明細書
【補正対象項目名】０００２
【補正方法】変更
【補正の内容】
【０００２】
ここで、電子写真画像形成装置とは、電子写真画像形成方式を用いて記録媒体に画像を形成するものである。そして、電子写真画像形成装置の例としては、例えば電子写真複写機、電子写真プリンタ（例えばレーザービームプリンタ、ＬＥＤプリンタ等）、フアクシミリ装置等が含まれる。
【手続補正３】
【補正対象書類名】明細書
【補正対象項目名】０００９
【補正方法】変更
【補正の内容】
【０００９】
上記の目的を達成するための本発明に係る電子写真画像形成装置の代表的な構成は、
記録媒体に画像を形成するための電子写真画像形成装置において、
電子写真感光体からトナー像を転写させるための転写部材と、
前記電子写真感光体を有するプロセスカートリッジを支持した状態で、前記電子写真画像形成装置の装置本体の外側と内側との間を移動可能な第一支持部材であって、前記装置本体の外側において前記プロセスカートリッジを着脱可能で、前記装置本体の内側において、前記電子写真感光体が前記転写部材に接触する接触位置と、前記電子写真感光体が前記転写部材から離間する離間位置と、を取り得る第一支持部材と、
前記電子写真感光体の回転軸線方向に見て前記電子写真感光体と前記転写部材との接線と平行な接線方向において移動可能な、前記第一支持部材を支持する第二支持部材であって、前記第一支持部材を前記接触位置に位置させるための第一の位置と、前記第一支持部材を前記離間位置に位置させるための第二の位置と、を取り得る第二支持部材と、
被係合部と、
前記第一支持部材に設けられ、前記第一支持部材が前記接触位置に位置する状態で前記転写部材に対して前記接線方向に前記第一支持部材が移動するのを規制するために、前記被係合部と係合する係合部と、
を有し、
前記第二支持部材が前記第一の位置から前記第二の位置へ移動する際に、前記係合部と前記被係合部とが係合した状態で前記接線方向及び前記回転軸線方向の両方に対して直交する直交方向へ前記第一支持部材が移動して前記電子写真感光体が前記転写部材から離間した後に、前記係合部と前記被係合部との係合が解除されることを特徴とする。
【手続補正４】
【補正対象書類名】明細書
【補正対象項目名】００１０
【補正方法】変更
【補正の内容】
【００１０】
すなわち、本発明は、プロセスカートリッジを支持する第一支持部材が移動する際に、電子写真感光体と転写部材のこすれによって、電子写真感光体にキズ、メモリが発生するのを抑制した電子写真画像形成装置を提供することができる。
【手続補正５】
【補正対象書類名】明細書
【補正対象項目名】００３４
【補正方法】変更
【補正の内容】
【００３４】
すなわち、画像形成装置の前面側には、装置本体内へカートリッジを挿入させる、及び、装置本体からカートリッジを取り出すために、カートリッジを通過させる開口３０（図２）を設けてある。ここで、装置本体１０１は開口３０を有する。
【手続補正６】
【補正対象書類名】明細書
【補正対象項目名】００３５
【補正方法】変更
【補正の内容】
【００３５】
そして、この開口３０を閉じる閉鎖位置と、開口３０を開放する開放位置と、の間を移動可能な開閉部材としてのドア３１が、装置本体１０１に設けられている。
【手続補正７】
【補正対象書類名】明細書
【補正対象項目名】００４４
【補正方法】変更
【補正の内容】
【００４４】
上記において、トレイ３５が、カートリッジが有するドラム１の回転軸線方向とは交差する方向に移動可能に設けられた移動部材である。また、該トレイ３５が、引出し位置（着脱位置）と、潜像形成位置（接触位置）と、移動可能位置（内側位置）と、を取り得る。ここで、引出し位置は、前記開口３０から突出して、カートリッジを装置本体の外側において着脱出来る位置である。また、潜像形成位置は、カートリッジを装置本体１０１の内側に位置させてドラム１に静電潜像を形成可能な位置である。また、移動可能位置は、装置本体の内側の位置であって、引出し位置から潜像形成位置への経路の途中に位置している。ここで、移動可能位置と引出し位置は、ドラム１とベルト１３が離間（離隔）する離間位置（離隔位置）である。
【手続補正８】
【補正対象書類名】明細書
【補正対象項目名】００５８
【補正方法】変更
【補正の内容】
【００５８】
従って、左右の保持部材３４Ｌ・３４Ｒは、それぞれ、カイド穴３６のガイド範囲において左フレーム８０Ｌと右フレーム８０Ｒに対して移動する自由度がある。即ち、保持部材３４Ｌ・３４Ｒは、本体フレーム８０に移動可能に支持されている。
【手続補正９】
【補正対象書類名】明細書
【補正対象項目名】００６１
【補正方法】変更
【補正の内容】
【００６１】
図１１の（ａ）は、ドア３１が装置本体に対して完全に閉められている状態を示している。この状態においては、保持部材３４Ｌ・３４Ｒは、装置本体内の後方向に位置している。ここで、保持部材３４Ｌ・３４Ｒは、ヒンジ軸３２、連結アーム３７Ｌ・３７Ｒ、横向き軸３７ａ、縦長孔３４ｂを介して装置本体に取り付けられている。ピン軸３４ｃは、カイド穴３６の第１ガイド領域３６ａの後端部に位置している。そのために、保持部材３４Ｌ・３４Ｒは、それぞれ、左フレーム８０Ｌと右フレーム８０Ｒとに対して所定の下げ位置（前記第一の位置）に位置している。従って、保持部材３４Ｌ・３４Ｒに保持されているトレイ３５も所定の下げ位置（前記潜像形成位置）に位置している。
【手続補正１０】
【補正対象書類名】明細書
【補正対象項目名】００７１
【補正方法】変更
【補正の内容】
【００７１】
図１１の（ｃ）は、ドア３１が完全に開かれた状態を示している。この状態においては、保持部材３４Ｌ・３４Ｒは第２ガイド領域３６ｂによる斜め上方移動を終えて、ピン軸３４ｃが水平な第３ガイド領域３６ｃに位置している（第二の位置）。即ち、保持部材３４Ｌ・３４Ｒは斜め上方に移動した後に水平方向に移動する。このように構成した理由は、その後、保持部材３４Ｌ・３４Ｒからトレイ３５を引き出してカートリッジを交換する際に、カートリッジや保持部材３４Ｌ・３４Ｒの高さ方向の位置を安定させるためである。また、カートリッジを交換する際に保持部材３４Ｌ・３４Ｒが元に戻ろうとする動きを防止するためである。
【手続補正１１】
【補正対象書類名】明細書
【補正対象項目名】００７２
【補正方法】変更
【補正の内容】
【００７２】
図１１の（ｃ）の状態においては、突起部６７が穴６９から抜けており、図１３（ｂ）に示すように溝１１０がピン１１１から抜けている。これにより、トレイ３５の位置決め状態が解除されている。したがって、トレイ３５は保持部材３４Ｌ・３４Ｒに対して前後方向に水平にスライド移動操作自由である。
【手続補正１２】
【補正対象書類名】明細書
【補正対象項目名】００９３
【補正方法】変更
【補正の内容】
【００９３】
トレイ３５が十分には押し込まれていない図１７の状態においては、トレイ３５に設けられた突起部６７が、第２規制部材としての中間転写ベルト保持部材６８に開けられた穴６９の位置と合っていない。この状態で、ドア３１を閉めようとすると、連結アーム３７Ｒ・３７Ｒを介して保持部材３４Ｒ・３４Ｌが押し下げられ、トレイ３５も押し下げられた際に、突起部６７が、穴６９の周りに設けられた規制部である中間転写ベルト保持部材６８に突き当たる。このため、ドア３１を閉めることができない。
【手続補正１３】
【補正対象書類名】明細書
【補正対象項目名】００９９
【補正方法】変更
【補正の内容】
【００９９】
装置本体１０１は、本体側給電部７４と、本体電気接点ばね７５ａ〜７５ｄを有する。本体側給電部７４は、左フレーム８０Ｌの外側に設けられている。また、本体側給電部７４と電気的に接続された本体電気接点ばね７５ａ〜７５ｄが、装置本体の水平方向に沿って及び垂直方向に同じ位置に複数個並んで設けられている。ばね７５ａ〜７５ｄは、左フレーム８０Ｌおよび保持部材３４Ｌに開けられた穴を通ってトレイ３５側に飛び出している。